(57)【要約】【課題】材料コストが安価で、しかも除染作業が簡単で能率の良いセシウム及び遷移金属の除染方法を提供する。【解決手段】放射性セシウムならびに遷移金属イオンを含む放射性廃液にフェロシアン化物イオンを添加して、前記遷移金属イオンを取り込んでフェロシアン化遷移金属を生成し、  その生成したフェロシアン化遷移金属により前記放射性セシウムを吸着して、  その放射性セシウムを吸着したフェロシアン化遷移金属の粒子を廃液から分離することを特徴とする。【選択図】図１
2014048164.tif 000002
【特許請求の範囲】
【請求項１】
放射性セシウムならびに遷移金属イオンを含む放射性廃液にフェロシアン化物イオンを添加して、前記遷移金属イオンを取り込んでフェロシアン化遷移金属を生成し、
その生成したフェロシアン化遷移金属により前記放射性セシウムを吸着して、
その放射性セシウムを吸着したフェロシアン化遷移金属の粒子を廃液から分離することを特徴とするフェロシアン化物イオンによるセシウム及び遷移金属の除染方法。
【請求項２】
請求項１に記載のフェロシアン化物イオンによるセシウム及び遷移金属の除染方法において、
前記フェロシアン化イオン源がフェロシアン化カリウムであることを特徴とするフェロシアン化物イオンによるセシウム及び遷移金属の除染方法。
【請求項３】
請求項２に記載のフェロシアン化物イオンによるセシウム及び遷移金属の除染方法において、
前記フェロシアン化カリウムの添加量が、前記放射性廃液に含まれている遷移金属の総量に対して重量比で[遷移金属]：[フェロシアン化カリウム]＝１：１０〜１：６の範囲に規制されていることを特徴とするフェロシアン化物イオンによるセシウム及び遷移金属の除染方法。
【請求項４】
請求項１ないし３のいずれか１項に記載のフェロシアン化物イオンによるセシウム及び遷移金属の除染方法において、
前記放射性セシウムを吸着したフェロシアン化遷移金属を有する廃液にアニオン系ポリマー溶液を添加してフロックを生成させ、そのフロックを沈降させた後、上澄み液をフィルターでろ過することを特徴とするフェロシアン化物イオンによるセシウム及び遷移金属の除染方法。
【請求項５】
請求項１ないし４のいずれか１項に記載のフェロシアン化物イオンによるセシウム及び遷移金属の除染方法において、
前記放射性廃液が、海水成分を含んだ放射性廃液であることを特徴とするフェロシアン化物イオンによるセシウム及び遷移金属の除染方法。
【発明の詳細な説明】
【技術分野】
【０００１】
本発明は、放射性廃液の除染方法に係り、特にフェロシアン化物イオンによるセシウム及び遷移金属の除染方法に関するものである。
【背景技術】
【０００２】
原子力発電設備の事故などで出た放射性汚水は、燃料成分や海水成分や設備の腐食成分などを含んでおり、この汚水は水処理され、処理された水は燃料冷却に再利用されが、Ｃｓ，Ｍｎ，Ｃｏ，Ｒｕ，Ｓｂやベータ核種など各種成分が濃縮された濃縮廃液は残る。そのためこの濃縮廃液の除染処理が必要となる。
【０００３】
Ｎｉ，Ｃｏ，Ｆｅなどのフェロシアン化遷移金属は、例えばＣｓ−１３４，Ｃｓ−１３７等の放射性セシウムを選択的に吸着するので除染に好適であることが知られている。図５は、このフェロシアン化遷移金属を使用した従来の放射性廃液の除染方法を説明するためのフローチャートである。
【０００４】
図５に示すように、まず、ステップ（以下、Ｓと略記する）１１で例えばフェロシアン化ニッケル等のフェロシアン化遷移金属からなるセシウム除染剤を調製（合成）する。予め準備した放射性廃液に前記セシウム除染剤を所定量添加して、廃液中の放射性セシウムの除染を行う（Ｓ１２）。
【０００５】
次にＳ１３で遷移金属を除染するために例えば水酸化鉄やキレート樹脂等の別の除染剤を準備し、この別の除染剤を前記廃液に添加することにより廃液中の遷移金属の除染を行い（Ｓ１４）、除染済み廃液とする（Ｓ１５）という手順で除染作業が行われる。  
このような除染方法については、例えば下記の非特許文献１などに記載されている。
【先行技術文献】
【非特許文献】
【０００６】
【非特許文献１】International Atomic Energy Agency : “Chemical Precipitation Processes for the Treatment of Aqueous Radioactive Waste,”Technical Reports Series 337 (1992)．
【発明の概要】
【発明が解決しようとする課題】
【０００７】
前述した従来の除染方法では、放射性セシウムを除染するためにフェロシアン化遷移金属を予め調製（合成）する必要がある。
【０００８】
さらに、フェロシアン化遷移金属を廃液に添加してセシウムの除染を行っただけでは、廃液中に放射性の遷移金属が残存するため、その遷移金属の除染のためにキレート樹脂などの別の除染剤を用いて遷移金属の除染を行う必要がある。  
このようなことから従来の除染方法では、材料コストが高くつき、しかも除染作業が煩雑で能率が悪いなどの欠点がある。
【０００９】
本発明の目的は、このような従来技術の欠点を解消し、材料コストが安価で、しかも除染作業が簡単で能率の良いセシウム及び遷移金属の除染方法を提供することにある。
【課題を解決するための手段】
【００１０】
前記目的を達成するため、本発明の第１の手段は、
放射性セシウムならびに遷移金属イオンを含む放射性廃液にフェロシアン化物イオンを添加して、前記遷移金属イオンを取り込んでフェロシアン化遷移金属を生成し、
その生成したフェロシアン化遷移金属により前記放射性セシウムを吸着して、
その放射性セシウムを吸着したフェロシアン化遷移金属の粒子を廃液から分離することを特徴とするものである。
【００１１】
本発明の第２の手段は前記第１の手段において、
前記フェロシアン化イオン源がフェロシアン化カリウムであることを特徴とするものである。
【００１２】
本発明の第３の手段は前記第２の手段において、
前記フェロシアン化カリウムの添加量が、前記放射性廃液に含まれている遷移金属の総量に対して重量比で[遷移金属]：[フェロシアン化カリウム]＝１：１０〜１：６の範囲に規制されていることを特徴とするものである。
【００１３】
本発明の第４の手段は前記第１ないし第３のいずれかの手段において、
前記放射性セシウムを吸着したフェロシアン化遷移金属を有する廃液にアニオン系ポリマー溶液を添加してフロックを生成させ、そのフロックを沈降させた後、上澄み液をフィルターでろ過することを特徴とするものである。
【００１４】
本発明の第５の手段は前記第１ないし第４のいずれかの手段において、
前記放射性廃液が海水成分を含んだ放射性廃液であることを特徴とするものである。
【発明の効果】
【００１５】
本発明は前述のような構成になっており、セシウムを吸着するためのフェロシアン化遷移金属を生成する遷移金属イオンは廃液中のものがそのまま使用でき、しかもセシウムを含む多種の元素を同時に除染できるから、材料コストの低減が図れ、しかも除染作業が簡単で能率の良い除染方法を提供することができる。
【図面の簡単な説明】
【００１６】
【図１】本発明の実施例に係る放射性廃液の除染方法を説明するためのフローチャートである。
【図２】模擬廃液中における放射性核種の除染前の初期濃度、ポリマーによる微粒子回収後の濃度、フィルターによる微粒子回収後の濃度、除染係数（ＤＦ）をそれぞれ示した図表である。
【図３】模擬廃液中における非放射性核種の除染前の初期濃度、フィルターによる微粒子回収後の濃度、除染係数（ＤＦ）をそれぞれ示した図表である。
【図４】遷移金属除去の適用範囲について検討するために、遷移金属とフェロシアン化カリウムの重量比をパラメータとして試験を行った際の各試料の分析結果と各元素の除去率を示した図表である。
【図５】従来のフェロシアン化遷移金属を使用した放射性廃液の除染方法を説明するためのフローチャートである。
【発明を実施するための形態】
【００１７】
本発明では、例えばフェロシアン化カリウム[K4[Fe(CN)6]]を海水と放射性核種を含む放射性廃液に添加して、廃液中でフェロシアン化遷移金属を生成することで、Ｃｓ−１３４，Ｃｓ−１３７等の放射性セシウムとフェロシアン化遷移金属を共に除染しようとするものである。
【００１８】
廃液に含まれる海水由来の遷移金属は、溶解度によりＺｎ＞Ｎｉ＞Ｃｏ＞Ｍｎの順でフェロシアン化金属を生成する。生成したフェロシアン化金属はＣｓをよく吸着し、Ｃｓを吸着した粒子を除去することで、Ｃｓと遷移金属を共に除去することができる。
【００１９】
図１は、本発明の実施例に係る放射性廃液の除染方法を説明するためのフローチャートである。
【００２０】
まず、Ｓ１で放射性廃液に対してフェロシアン化カリウム水溶液を添加することにより、廃液中で不溶性のフェロシアン化遷移金属が生成し、そのフェロシアン化遷移金属によってＣｓが吸着され、Ｃｓを吸着したフェロシアン化遷移金属を回収することにより、Ｃｓとフェロシアン化遷移金属の同時除染が行われ（Ｓ２）、それにより除染済みの廃液が得られる（Ｓ３）。
【００２１】
Ｃｓを吸着したフェロシアン化遷移金属の廃液からの回収としては、廃液にアニオン系ポリマー溶液を添加する方法、フィルターでろ過する方法、ポリマー溶液とフィルターを併用する方法などがある。廃液中にポリマー溶液を添加することでフロックを生成させ、フェロシアン化遷移金属を沈降させたのち、上澄み液をフィルターでろ過することで、ポリマーのみでは回収できないより微細なフェロシアン化遷移金属を廃液から回収することができる。
【００２２】
放射性廃液に対してフェロシアン化カリウムを過剰に添加した場合は、鉄等の遷移金属元素の溶液を添加すれば余剰のフェロシアン化イオンを除去することができる。一方、放射性廃液に対してフェロシアン化カリウムの添加量が少量であったり、あるいは除染元素の除去率が低ければ、フェロシアン化カリウムの添加量を増加すればよい。
【００２３】
フェロシアン化カリウムの添加量は、放射性廃液に含まれている遷移金属の総量に対して重量比で[遷移金属]：[フェロシアン化カリウム]＝１：６を超えないようにする。この重量比１：６は、図４より求めた値である。
【００２４】
次に具体的な実例について説明する。  
約５０重量％の海水を含む模擬廃液に対してフェロシアン化カリウム溶液を、重量比で[遷移金属]：[フェロシアン化カリウム]＝１：３となるように添加し、１０分間攪拌・混合した。
【００２５】
混合後の模擬廃液を２つに分けて、一方にはアニオン系ポリマー溶液による固液分離を行い、他方にはメンブレンフィルターでろ過する固液分離を行った。
【００２６】
前記アニオン系ポリマー溶液としてDia-Nitrix Co.,Ltd製のＡＰ４１０を用い、５ｍｇ／Ｌの割合で添加した。また、前記メンブレンフィルターとして、目開きが０．１μｍのメンブレンフィルターを用い、吸引ろ過方式を採用した。
【００２７】
図２ならびに図３は、模擬廃液中における放射性核種（図２）ならびに非放射性核種（図３）の除染前の初期濃度、ポリマーによる微粒子回収後の濃度、フィルターによる微粒子回収後の濃度、またこれらの濃度から算出した除染係数（ＤＦ）を、それぞれ示した図表である。
【００２８】
除染係数（ＤＦ）は、ＤＦ＝（除染前初期濃度）÷（回収後濃度）の式で算出した。放射性核種濃度はγ線分析により、非放射性核種濃度はＩＣＰ−ＡＥＳ分析により、それぞれ求めた。
【００２９】
また、この実例では、模擬廃液の濃度が定量下限値未満であったため、図３に示すようにＺｎ，Ｆｅ，ＣｏのＤＦは算出できなかった。
【００３０】
図２の結果から明らかなように、前述の除染処理で放射性Ｃｓ−１３４，Ｃｓ−１３７，Ｃｏ−６０の濃度が明らかに低下しており、液中での不溶性フェロシアン化遷移金属の合成によるＣｓとＣｏの同時除染が可能であることが実証された。
【００３１】
この実例の場合、ＭｎおよびＳｂよりもＣｏの方がより優先的に除染されているが、これは不溶性フェロシアン化物の溶解度の差に起因するものである。添加するフェロシアン化カリウムの濃度は本実例より約３倍高くすることが可能であるため、より高濃度のフェロシアン化イオンを添加すれば、遷移金属の除染係数（除去率）をさらに向上させることができる。
【００３２】
この実例ではアニオン系ポリマー溶液による固液分離と、メンブレンフィルターでろ過する固液分離を個別に行ったが、ポリマー溶液とメンブレンフィルターを併用した方が効率よくより高い除染係数（除去率）が得られる可能性がある。
【００３３】
次に遷移金属除去の適用範囲について検討した結果を説明する。  
本発明者らが今まで行った各種試験結果を参考にして、遷移金属とフェロシアン化カリウム（ＫＦＣ）の重量比をパラメータとした試験を以下の手順で行った。
【００３４】
（１）塩化マンガン、塩化コバルト、硝酸ニッケル、塩化亜鉛を計量し、それらを５０％海水に溶解して、フィード液とした。  
（２）フェロシアン化カリウムを純水に溶解し、８０００ｍｇ／Ｌのフェロシアン化カリウム溶液とした。  
（３）前記フィード液３０ｍＬを分取し、これに前記フェロシアン化カリウム溶液を所定量添加し、４０分間混合・攪拌した。
【００３５】
（４）混合後の試験液を０．１μｍのメンブレンフィルターで吸引ろ過した。  
（５）ろ過後の試験液を少量分取し、これに１０００ｍｇ／Ｌの硝酸銅水溶液を添加し、フェロシアン化銅が生成しないことを確かめた。  
（６）フェロシアン化銅が生成しない試験液は、そのまま分析試料とした。
【００３６】
（７）フェロシアン化銅が生成した試験液については、１０００ｍｇ／Ｌの硝酸銅水溶液を添加し、２０分間混合・攪拌した。  
（８）混合後の試験液を０．１μｍのメンブレンフィルターで吸引ろ過した。  
（９）ろ過後の試験液を少量分取し、これに１０００ｍｇ／Ｌの硝酸銅水溶液を所定量添加し、フェロシアン化銅が生成しないことを確かめた後、その試験液を分析試料とした。
【００３７】
分析試料の各元素濃度は、ＩＣＰ−ＡＥＳにより分析した。海水中のＮａが分析の妨害となるため、適切なＮａ濃度となるように分析試料を希釈した後に分析を行ったため、同じ元素でも定量下限値が試料により異なる。
【００３８】
図４はその分析結果と各元素の除去率をまとめて示した図表であり、[遷移金属]：[ＫＦＣ]（重量比）を１：１０〜３：２の範囲で変えて試料１〜１２を作成し、各試料での分析結果と各元素の除去率を示している。
【００３９】
この図表から明らかなように、Ｚｎ＞Ｎｉ＞Ｃｏ＞Ｍｎの順で除去され、Ｚｎは少量のフェロシアン化カリウムでも除去可能であるが、Ｍｎは[遷移金属]：[ＫＦＣ]が１：６（試料５）までフェロシアン化カリウムを添加しなければ９０％以上の除去は行えないことが分かる。
【００４０】
従って、高い除去率を得るためには、[遷移金属]：[ＫＦＣ]を１：１０〜１：６の範囲、好ましくは１：１０〜１：７の範囲に規制すれは良いことが判明した。
【００４１】
前記フェロシアン化物イオン源としてフェロシアン化物カリウム溶液を用いたが、フェロシアン化物ナトリウム溶液を用いることも可能である。
【図１】
2014048164.tif 000003
【図２】
2014048164.tif 000004
【図３】
2014048164.tif 000005
【図４】
2014048164.tif 000006
【図５】
2014048164.tif 000007
【手続補正書】
【提出日】平成24年9月4日(2012.9.4)
【手続補正１】
【補正対象書類名】図面
【補正対象項目名】全図
【補正方法】変更
【補正の内容】
【図１】
2014048164.tif 000008
【図２】
2014048164.tif 000009
【図３】
2014048164.tif 000010
【図４】
2014048164.tif 000011
【図５】
2014048164.tif 000012